(57)【要約】【課題】プリペイドカードの残金が端数となったとき、プリペイドカード処理機で精算できるようにする。【解決手段】プリペイドカードに記録された貸玉払い出し残度数を読み取り、遊技機１０に度数毎に所定数の貸玉を払い出す処理を実行させるプリペイドカード処理機２０において、前記プリペイドカードの残度数の精算を行う精算ボタン２２を備え、この精算ボタン２２を押すことで残度数に相当する数の貸玉を玉払い出し通路２３を通して前記遊技機１０に払い出す。【選択図】           図１
2006271846.tif 000002
【特許請求の範囲】
【請求項１】
遊技用記録媒体に記録された価値内容を読み取り、該価値内容に応じた度数に応じて、遊技機に度数毎に所定数の遊技用媒体を払い出す処理を実行させる遊技用記録媒体処理機あって、
前記遊技用記録媒体に記録された価値内容が１度数に満たない場合には、残された端数の価値内容を精算する精算手段を備えたことを特徴とする遊技用記録媒体処理機。
【請求項２】
請求項１に記載された遊技用記録媒体処理機において、
前記精算手段は、残された端数の価値内容に相当する数の遊技用媒体を前記遊技機に払い出すことを特徴とする遊技用記録媒体処理機。
【請求項３】
請求項１又は２に記載された遊技用記録媒体処理機において、
前記遊技用記録媒体に記録された価値内容が1度数に満たない場合にその旨を表示する表示手段と、前記遊技用記録媒体に記録された価値内容が１度数に満たない場合に精算を指示する精算指示手段を備えたことを特徴とする遊技用記録媒体処理機。
【発明の詳細な説明】
【技術分野】
【０００１】
本発明は、遊技用記録媒体処理機に関し、とくに、遊技用記録媒体の投入により所定数の遊技用媒体を貸し出す遊技用記録媒体処理機に関するものである。
【背景技術】
【０００２】
現在、いわゆるＣＲパチンコ機やＣＲパチスロ機などの遊技機（遊技者が、所定金額分のデータが記録された遊技用記録媒体を用いて遊技用媒体を借り、それで遊技を行う遊技機）では、遊技用記録媒体（例えばプリペイドカード）を遊技用記録媒体処理機に挿入することにより、遊技機により遊技用媒体の貸し出しが行われるが、その単位金額当たりの貸し出し数はそれが貸玉であれメダルであれ変更できない。
【０００３】
そのため、例えばパチンコ機で単位金額、例えば１００円当たりの貸玉数つまり１度数当たりの貸玉が２５個である場合に、消費税率が５％であるとすると、１度数当たり１０５円分がプリペイドカードから減算され、プリペイドカードを使用し続けると、最後は残高が１度数未満（端数）となるため、その段階ではそのプリペイドカードはもはや遊技用記録媒体処理機（例えば、プリペイドカード処理機）では使用できない。
【０００４】
そこで、このような場合には、別途精算機で精算処理することが行われている。その１例として、パチンコ機やパチスロ機などの遊技機を設置した遊技場にカード発行機、カード更新機、カード精算機を備え、これらの機器を島コントローラで制御し、島コントローラ全体をターミナルコントローラで制御する記憶媒体精算システムが知られている（特許文献１参照）。
この記憶媒体精算システムでは、前記ターミナルコントローラは、プリペイドカードに記憶された価値データの残度数、価値データの使用度数及び消費税預かりの有無に係るデータをカードの識別データ毎に管理し、カード精算機からのカードの識別データを受け付けた際に、消費税預かりの有無情報に基づいて消費税徴収額又は消費税返却額を算定し、カード精算機は、算定された消費税徴収額又は消費税返却額を考慮して価値データの残度数を精算するようにしている。
【０００５】
つまり、この記憶媒体精算システムでは、消費税を先払するか、或いは消費税を後払いするかをカード発行機で区別し、先払いしたカードで精算する場合は、未使用分の消費税を含めて精算し、かつ後払いのカードで精算する場合は、使用度数に使用分の消費税分を加算して精算を行っている。
【０００６】
しかし、この精算システムでは、カード発行機が消費税先払いの場合は、カード価格にさらに消費税分を加算して購入する必要があり、カード購入が煩わしいという問題がある。また、消費税後払いの場合は、残り度数が１回の玉貸し個数単位（１度数）を割り端数となると、既に述べたように現行のカード処理機では使用できず、遊技場に別途設置された精算機で精算しなければならず煩わしく、これでは遊技者に対するサービス低下になり客離れが懸念される。
これを解決するためには、端数に応じた貸玉を貸し出すようにすることが考えられるが、現行の貸玉は遊技機から供給されるから、これを行うには全ての遊技機並びにシステムを取り換えなければならず厖大なコストを要する。
【特許文献１】特開２００５−４０６３１号公報
【発明の開示】
【発明が解決しようとする課題】
【０００７】
本発明は、以上の問題に鑑みてなされたものであって、その目的は、遊技機には何らの変更も施さずに、遊技媒体を遊技用記録媒体で貸し出す場合に、その遊技用記録媒体に記録された残度数が１を下回った場合でも、精算機に行くことなく残された価値内容に相当する数の遊技用媒体で精算を行う（その残り度数の精算分の遊技用媒体を払い出す）ことができるようにして、遊技を続行できるようにすることである。
【課題を解決するための手段】
【０００８】
請求項１の発明は、遊技用記録媒体に記録された価値内容を読み取り、該価値内容に応じた度数に応じて、遊技機に度数毎に所定数の遊技用媒体を払い出す処理を実行させる遊技用記録媒体処理機あって、
前記遊技用記録媒体に記録された価値内容が１度数に満たない場合には、残された端数の価値内容を精算する精算手段を備えたことを特徴とする。
請求項２の発明は、請求項１に記載された遊技用記録媒体処理機において、前記精算手段は、残された端数の価値内容に相当する数の遊技用媒体を前記遊技機に払い出すことを特徴とする。
請求項３の発明は、請求項１又は２に記載された遊技用記録媒体処理機において、前記遊技用記録媒体に記録された価値内容が1度数に満たない場合にその旨を表示する表示手段と、前記遊技用記録媒体に記録された価値内容が１度数に満たない場合に精算を指示する精算指示手段を備えたことを特徴とする。
【発明の効果】
【０００９】
本発明によれば、カードに記録された価値残高が１度数相当分を下回っても、遊技用媒体処理機で精算できるため、消費税率に関わらずカードを最後まで使い切ることができる。そのため、カードを使用した場合に最後に必ず精算機で精算する煩わしさがなく、遊技者は安心して遊技を行うことができる。また、遊技機自体には何らの変更も施すことがないから、遊技場では、コストを抑制しつつ消費税率を加味した料金体系を採用することができる。
【発明を実施するための最良の形態】
【００１０】
本発明の遊技用記録媒体処理機の１実施形態であるプリペイドカード処理機を遊技機の１実施形態であるＣＲパチンコ機（以下単にパチンコ機という）に適用した場合を例を採って説明する。
図１は、パチンコ機１０及びパチンコ１０機間に配置された磁気カードやＩＣカード等からなるプリペイドカード処理機２０の正面図である。
【００１１】
パチンコ機１０は、その表面にパチンコ玉を操作するハンドル１１と、貸出しボタン１２ａ及びカード返却ボタン１２ｂと、プリペイドカード処理機２０に紙幣或いは残高のあるプリペイドカードを挿入したとき、玉貸し可能残高や残り度数を表示するＬＣＤ（液晶）などの周知の表示手段からなる残高表示部１３と、パチンコ機１０からの遊技用媒体の１実施形態であるパチンコ玉の払い出し口１４と、払い出した玉を貯留するための玉受皿１５と、遊技盤面１６を備えている。
【００１２】
プリペイドカード処理機２０は、プリペイドカードの投入口２１と、精算ボタン２２と、精算ボタンを操作したときにその精算金額に対応した貸玉をパチンコ機１０へ払い出すための玉払い出し通路２３と、紙幣の投入口２４と投入された紙幣の合計金額等を表示するＬＣＤ等からなる表示部２５、パチンコ機１０との通信線２６、プリペイドカードの残額を表示する表示部２７等を備えている。
【００１３】
図２は、プリペイドカード処理機２０の構成を概略的に示すブロック図である。
このプリペイドカード処理機２０は、ＣＰＵ２０１ａとＣＰＵの動作プログラムを記憶したＲＯＭ２０１ｂと、処理データ等を記憶するＲＡＭ２０１ｃとからなるマイクロコンピュータ（以下、単にマイコンという）２０１を備え、このマイコン２０１で制御される、プリペイドカードの読み取り及び書き込みを行うカードリーダ・ライタ部２０２、図示しない管理センターのコンピュータとデータの授受を行う通信部２０３と、精算結果に応じた貸玉数を払い出す貸玉払出機構２０４と、更に、管理センター装置のコンピュータやパチンコ機と接続するためのインターフェース部２０５と、精算ボタン２２の発光制御部２０６を備えており、パチンコ機１０とプリペイドカード処理機２０は、実際には例えばピンコネクタを備えた通信線２６で接続されている。
【００１４】
以上の構成において、遊技者がプリペイドカード処理機２０にプリペイドカードを挿入すると、プリペイドカード処理機２０はパチンコ機１０に接続信号を送り、これにより、接続確認が行われ、パチンコ機１０は、この接続を確認して動作する。
また、プリペイドカード処理機２０は、さらに、プリペイドカードの残度数をパチンコ機１０に通知し、残度数（例えば、１度数は１０５円に相当、５円が消費税にあたる）がその表示部１３に表示される。また、プリペイドカードの残額については、表示部２７に表示される。
【００１５】
ここで、遊技者は残度数が１以上あることを確認し、パチンコ機１０の玉貸ボタン１２ａを押すと、パチンコ機１０は貸出しボタン１２ａの押下状態をプリペイドカード処理機２０へ通知する。
プリペイドカード処理機２０は、貸出しボタン１２ａの押下状態の通知を受けるとパチンコ機１０へ玉貸しを通知し、パチンコ機１０は、玉貸し通知を受信すると、図示しない貸玉払出機構を作動して所定数、例えば２５個の貸玉をその玉払い出し口１４から玉受け皿１５に払い出す。
【００１６】
パチンコ機１０は、貸玉を払い出すと払出完了信号をプリペイドカード処理機２０へ送り、プリペイドカード処理機２０は、払出完了信号を受信するとカードの度数から１を減算する処理を行い、かつ変更後の度数を示す残度数情報をパチンコ機１０へ送り、その表示部１３に残度数として表示する。
以後、遊技の進捗等に応じて残度数表示から貸玉払出までの過程が繰り返される。
【００１７】
このように、プリペイドカードに記録（又は記憶）された度数は、貸出しボタン１２ａを操作し貸玉の払い出しが行われる毎に１ずつ減算される。
ここで、プリペイドカードには予め消費税込みの金額又は貸玉度数が記録されているから、最後の１度数分が減算されると端数の度数が残高として残ることになり、この端数分については、前記貸出しボタン１２ａを操作しても残額不足とされて貸玉処理は行われない。
【００１８】
次に、この端数の度数（つまり端数金額）が残ったときの精算処理について説明する。
図３は、プリペイドカード処理機２０の端数払い出し処理手順を示すフロー図である。図３に従って前記端数払い出し処理を説明すると、まず、プリペイドカード処理機２０のマイコン２０１は、カードリーダ・ライタ部２０２で読み取ったプリペイドカードの残り度数が１未満、つまり端数の度数又は端数金額があるか否か判断し（Ｓ１０１）、「否」と判断したときは（Ｓ１０１、ＮＯ）、そのまま処理を終了する。「ある」と判断したときは（Ｓ１０１，ＹＥＳ）、精算ボタン２２の発光制御部２０６を動作して精算ボタン２２のＬＥＤを発光させて、遊技者に残度数又は価値内容が、１度数またはそれに相当する価値に満たないことを報知するとともに精算ボタン２２の操作を促す（Ｓ１０２）。ここで遊技者が精算ボタン２２を押下するなどして操作すると（Ｓ１０３）、残された価値内容に相当する貸玉数を算出し（Ｓ１０４）、貸玉払出機構２０４に対し、その算出結果に応じた貸玉数を払い出すよう指示する（Ｓ１０５）。指示を受けた貸玉払出機構２０４は、貯留した貸玉から玉払い出し通路２３を通してパチンコ機１０の玉受け皿１５に算出結果に応じた数の貸玉を払い出し（Ｓ１０６）、処理を終了する。
【００１９】
このように、本実施形態に係るプリペイドカード処理機２０によれば、プリペイドカードの残度数が端数になったときでも、その精算ボタンを操作するだけで、その端数に相当する精算分の玉をプリペイドカード処理機２０側からパチンコ機１０側に払い出すことができるため、従来のように端数の場合は玉の供給を受けることができず、一旦残金を払い戻す煩雑な精算処理を行う必要がない。しかも、この貸玉による精算処理は、遊技機側には一切変更を施すことがなく、プリペイドカード処理機を代えるだけで行うことができるから、消費税率が変更されたり或いは消費税率を外税とする料金体系を導入する場合であっても、比較的低コストで対応可能である。
【００２０】
なお、以上の説明はパチンコ機を例に採って行ったが、本発明は、遊技用記録媒体及び遊技用媒体を用いるパチスロその他の遊技機にも当然適用可能である。
【図面の簡単な説明】
【００２１】
【図１】本発明の実施形態に係るプリペイドカード処理機とパチンコ機の表面図である。
【図２】プリペイドカード処理機の構成を説明するブロック図である。
【図３】プリペイドカード処理機の端数払い戻し処理の手順を示すフロー図である。
【符号の説明】
【００２２】
１０・・・パチンコ機、１１・・・ハンドル、１２・・・ボタン、１３・・・残高表示部、１４・・・払い出し口、１５・・・・玉受皿、１６・・・遊技盤面、２０・・・プリペイドカード処理機、２０１・・・マイコン、２０２・・・カードリーダ・ライタ部、２０３・・・通信部、２０４・・・貸玉払出機構、２０５・・・インターフェース部、２０６・・・発光制御部、２１・・・プリペイドカード挿入口、２２・・・精算ボタン、２３・・・玉払い出し通路、２４・・・紙幣投入口、２５・・・表示部、２６・・・通信線、２７・・・表示部。
【図１】
2006271846.tif 000003
【図２】
2006271846.tif 000004
【図３】
2006271846.tif 000005